(57)【要約】【課題】  色の変換精度を低減させずに、多次元ルックアップテーブルの容量及び画像処理の負荷を低減させる画像処理装置を提供する。【解決手段】  ５色以上の成分で構成される入力色情報を、少なくとも１色の成分で構成される第１の入力色情報と、残りの色の成分で構成される第２の入力色情報とに分離する入力色情報分離部１１と、入力色情報にプロファイル情報が添付されている場合に、プロファイル情報が有する第１の入力色情報を構成する色の成分に基づいて生成される第１の新プロファイル情報により変換する第１の入力色情報変換部１２と、添付されたプロファイル情報が有する第２の入力色情報を構成する色の成分に基づいて生成される第２の新プロファイル情報により変換する第２の入力色情報変換部１４と、第１の入力色情報と第２の入力色情報とをそれぞれを構成する色の成分に対応させて合成する入力色情報合成部１６と、を有することを特徴としている。【選択図】  図１
2008177827.tif 000002
【特許請求の範囲】
【請求項１】
５色以上の成分で構成される入力色情報を、少なくとも１色の成分で構成される第１の入力色情報と、残りの色の成分で構成される第２の入力色情報とに分離する分離手段と、
前記入力色情報にプロファイル情報が添付されている場合に、前記プロファイル情報が有する前記第１の入力色情報を構成する色の成分に基づいて生成され、第１の記憶手段に記憶される第１の新プロファイル情報により変換する第１の変換手段と、
前記入力色情報にプロファイル情報が添付されている場合に、前記プロファイル情報が有する前記第２の入力色情報を構成する色の成分に基づいて生成され、第２の記憶手段に記憶される第２の新プロファイル情報により変換する第２の変換手段と、
前記第１の入力色情報と第２の入力色情報とをそれぞれを構成する色の成分に対応させて合成する合成手段と、
を有することを特徴とする画像処理装置。
【請求項２】
前記第１の変換手段は、前記入力色情報にプロファイル情報が未添付である場合に、予め第１の記憶手段に記憶される第１の設定プロファイル情報により変換することを特徴とする請求項１に記載の画像処理装置。
【請求項３】
前記第２の変換手段は、前記入力色情報にプロファイル情報が未添付である場合に、予め第２の記憶手段に記憶される第２の設定プロファイル情報により変換することを特徴とする請求項１または２に記載の画像処理装置。
【請求項４】
前記入力色情報の黒の成分を階調補正条件に基づいて補正する補正手段を備え、
前記分離手段は、前記入力色情報を黒の成分で構成される第３の入力色情報に分離して、前記補正手段に送信し、
前記合成手段は、補正された前記第３の入力色情報を、合成された前記入力色情報の黒の成分に対応させてさらに合成することを特徴とする請求項１から３のいずれか１項に記載の画像処理装置。
【請求項５】
５色以上の成分で構成される入力色情報を、少なくとも１色の成分で構成される第１の入力色情報と、残りの色の成分で構成される第２の入力色情報とに分離し、
前記入力色情報にプロファイル情報が添付されている場合に、前記プロファイル情報が有する前記第１の入力色情報を構成する色の成分に基づいて生成され、第１の記憶手段に記憶される第１の新プロファイル情報により変換し、
前記入力色情報にプロファイル情報が添付されている場合に、前記プロファイル情報が有する前記第２の入力色情報を構成する色の成分に基づいて生成され、第２の記憶手段に記憶される第２の新プロファイル情報により変換し、
前記第１の入力色情報と第２の入力色情報とをそれぞれを構成する色の成分に対応させて合成することを特徴とする画像処理方法。
【請求項６】
５色以上の成分で構成される入力色情報を、少なくとも１色の成分で構成される第１の入力色情報と、残りの色の成分で構成される第２の入力色情報とに分離するステップと、
前記入力色情報にプロファイル情報が添付されている場合に、前記プロファイル情報が有する前記第１の入力色情報を構成する色の成分に基づいて生成され、第１の記憶手段に記憶される第１の新プロファイル情報により変換するステップと、
前記入力色情報にプロファイル情報が添付されている場合に、前記プロファイル情報が有する前記第２の入力色情報を構成する色の成分に基づいて生成され、第２の記憶手段に記憶される第２の新プロファイル情報により変換するステップと、
前記第１の入力色情報と第２の入力色情報とをそれぞれを構成する色の成分に対応させて合成するステップと、
をコンピュータに実行させることを特徴とする画像処理プログラム。
【発明の詳細な説明】
【技術分野】
【０００１】
本発明は、画像処理技術に関し、特に、カラーマネジメントシステムの技術に関する。
【背景技術】
【０００２】
液晶ディスプレイ等の画像表示装置、スキャナ等の画像入力装置、カラープリンタ等の画像出力装置等、各装置間での正確な色合わせを実現するためのカラーマネジメントシステムが知られている。当該技術によれば、各装置の再現できる色の範囲が異なるという原理的問題や、各装置の採用しているカラースペース（色空間）が異なるため相互変換が複雑化し、統一的な取扱いができないという技術的問題を抑制している。
【０００３】
このようなカラーマネジメントシステムでは、装置間における正確な色合わせを実現するために、一般に、画像入力装置で入力されたカラー画像（以下、入力色情報という。）を画像出力装置での色の再現範囲内の入力色情報に変換している。そして、当該変換は多次元ルックアップテーブルを利用して行われることが多く、例えば、特許文献１や特許文献２では、多次元ルックアップテーブルを利用して色の変換機能を向上させる発明が開示されている。
【特許文献１】特開２００２−３５４２７６号公報
【特許文献２】特開２００４−２４８０６６号公報
【発明の開示】
【発明が解決しようとする課題】
【０００４】
ところで、特許文献１に開示される発明では、色変換の精度を向上させているが、入力色情報の色の成分が増加するに伴い、色変換処理に利用する多次元ルックアップテーブルの容量が増加するため、必ずしも好適な容量抑制とはなっていない。また、特許文献２に開示される発明では、精度の粗密さを考慮しつつ入力色情報の色の成分に応じて演算ビット数を異ならせ、かつ、色値と色変換係数とに基づいて補完演算処理を行うため、従来の格子点テーブル方式の色変換よりも全体的に色変換精度が落ちる可能性がある。
【０００５】
本発明は、このような問題点に鑑みてなされたものであり、色の変換精度を低減させずに、多次元ルックアップテーブルの容量及び画像処理の負荷を低減させる画像処理装置、画像処理方法及び画像処理プログラムを提供することを目的とする。
【課題を解決するための手段】
【０００６】
本発明の画像処理装置は、５色以上の成分で構成される入力色情報を、少なくとも１色の成分で構成される第１の入力色情報と、残りの色の成分で構成される第２の入力色情報とに分離する分離手段と、入力色情報にプロファイル情報が添付されている場合に、プロファイル情報が有する第１の入力色情報を構成する色の成分に基づいて生成され、第１の記憶手段に記憶される第１の新プロファイル情報により変換する第１の変換手段と、入力色情報にプロファイル情報が添付されている場合に、プロファイル情報が有する第２の入力色情報を構成する色の成分に基づいて生成され、第２の記憶手段に記憶される第２の新プロファイル情報により変換する第２の変換手段と、第１の入力色情報と第２の入力色情報とをそれぞれを構成する色の成分に対応させて合成する合成手段と、を有することを特徴としている。
この構成によれば、入力色情報が変換される前に分離され、分離された入力色情報の色の成分に基づいたプロファイル情報によりそれぞれの入力色情報が変換されるようになる。これにより、色の変換精度の低減が抑制される。
【０００７】
また、本発明は、第１の変換手段は、入力色情報にプロファイル情報が未添付である場合に、予め第１の記憶手段に記憶される第１の設定プロファイル情報により変換することを特徴としている。
この構成によれば、入力色情報にプロファイル情報が添付されていない場合に、予め第１の記憶手段に記憶される第１の設定プロファイル情報に基づいて第１の入力色情報が変換されるようになる。
【０００８】
また、本発明は、第２の変換手段は、入力色情報にプロファイル情報が未添付である場合に、予め第２の記憶手段に記憶される第２の設定プロファイル情報により変換することを特徴としている。
この構成によれば、入力色情報にプロファイル情報が添付されていない場合に、予め第２の記憶手段に記憶される第２の設定プロファイル情報に基づいて第２の入力色情報が変換されるようになる。
【０００９】
また、本発明は、入力色情報の黒の成分を階調補正条件に基づいて補正する補正手段を備え、分離手段は、入力色情報を黒の成分で構成される第３の入力色情報に分離して、補正手段に送信し、合成手段は、補正された第３の入力色情報を、合成された入力色情報の黒の成分に対応させてさらに合成することを特徴としている。
この構成によれば、入力色情報の黒の成分を分離して第３の入力色情報とし、階調補正条件に基づいて、当該第３の入力色情報を補正してから合成するようになる。
【００１０】
また、本発明の画像処理方法は、５色以上の成分で構成される入力色情報を、少なくとも１色の成分で構成される第１の入力色情報と、残りの色の成分で構成される第２の入力色情報とに分離し、入力色情報にプロファイル情報が添付されている場合に、プロファイル情報が有する第１の入力色情報を構成する色の成分に基づいて生成され、第１の記憶手段に記憶される第１の新プロファイル情報により変換し、入力色情報にプロファイル情報が添付されている場合に、プロファイル情報が有する第２の入力色情報を構成する色の成分に基づいて生成され、第２の記憶手段に記憶される第２の新プロファイル情報により変換し、第１の入力色情報と第２の入力色情報とをそれぞれを構成する色の成分に対応させて合成することを特徴としている。
この構成によれば、入力色情報が変換される前に、入力色情報が分離され、分離された入力色情報の色の成分に基づいたプロファイル情報によりそれぞれの入力色情報が変換されるようになる。
【００１１】
また、本発明の画像処理プログラムは、５色以上の成分で構成される入力色情報を、少なくとも１色の成分で構成される第１の入力色情報と、残りの色の成分で構成される第２の入力色情報とに分離するステップと、入力色情報にプロファイル情報が添付されている場合に、プロファイル情報が有する第１の入力色情報を構成する色の成分に基づいて生成され、第１の記憶手段に記憶される第１の新プロファイル情報により変換するステップと、入力色情報にプロファイル情報が添付されている場合に、プロファイル情報が有する第２の入力色情報を構成する色の成分に基づいて生成され、第２の記憶手段に記憶される第２の新プロファイル情報により変換するステップと、第１の入力色情報と第２の入力色情報とをそれぞれを構成する色の成分に対応させて合成するステップと、をコンピュータに実行させることを特徴としている。
この構成によれば、入力色情報が変換される前に、入力色情報が分離され、分離された入力色情報の色の成分に基づいたプロファイル情報によりそれぞれの入力色情報が変換されるようになる。
【発明の効果】
【００１２】
本発明によれば、入力色情報の色の変換精度を低減させずに、多次元ルックアップテーブルの容量及び画像処理の負荷を低減させることができる。
【発明を実施するための最良の形態】
【００１３】
以下、本発明の実施の形態について、図面を参照して具体的に説明する。
（第１実施形態）
図１は本発明の第１実施形態に係る画像処理装置の機能ブロック図である。尚、図１に示す各機能ブロックは、例えば、ＣＰＵ（Central Processing Unit）等の処理装置、ＤＲＡＭ(Dynamic Random Access Memory)、ＳＲＡＭ（Static RAM）、ＲＯＭ(Read Only Memory)等の半導体記憶装置、ＨＤ（Hard Disc）等の磁気ディスク及び所要のソフトウェアにより構成され、ＣＰＵがＲＯＭに格納された所要のプログラムを読み込み、当該プログラムに従った演算を行うことにより各機能が実現される。また、後述する機能ブロックについても同様とする。
【００１４】
第１実施形態に係る画像処理装置は、図１に示すように、入力色情報分離部１１、第１の入力色情報変換部１２、第１のプロファイル情報記憶部１３、第２の入力色情報変換部１４、第２のプロファイル情報記憶部１５、入力色情報合成部１６等から構成される。
【００１５】
入力色情報分離部１１は、本発明の分離手段の一例であって、５色以上の成分で構成される入力色情報を、少なくとも１色の成分で構成される第１の入力色情報と、残りの色の成分で構成される第２の入力色情報とに分離する。
例えば、シアン（Cyan）、マゼンタ（Magenta）、黄（Yellow）、黒（blacK）、赤（Red）、緑（Green）及び青(Blue)の７色の成分で構成される入力色情報を、図１に示すように、赤、緑、青の成分で構成される第１の入力色情報と、シアン、マゼンタ、黄、黒の成分で構成される第２の入力色情報とに分離する。分離された第１の入力色情報は、第１の入力色情報変換部１２へ送信され、第２の入力色情報は、第２の入力色情報変換部１４へ送信される。
【００１６】
尚、入力色情報の分離は、これに限られず、例えば、シアン、マゼンタ、黄、黒、赤、緑、青の７色の成分で構成される入力色情報を、黒の成分で構成される第１の入力色情報と、赤、緑及び青の成分で構成される第２の入力色情報と、シアン、マゼンタ、黄の成分で構成される第３の入力色情報とに分離したりするようにしてもよい。
【００１７】
第１の入力色情報変換部１２は、本発明の第１の変換手段の一例であって、第１の入力色情報を後述する第１の新プロファイル情報により変換する。尚、第１の入力色情報変換部１２及び第１の新プロファイル情報記憶部１３等から多次元ルックアップテーブルが構成される。また、入力色情報に添付されるプロファイル情報からの第１の新プロファイル情報の生成は、既知の手段によって実現可能である。変換された各入力色情報（図１において、それぞれＣ１、Ｍ１、Ｙ１、Ｋ１と示す。）は、入力色情報合成部１６へ送信される。
【００１８】
第１のプロファイル情報記憶部１３は、本発明の第１の記憶手段の一例であって、プロファイル情報が有する第１の入力色情報を構成する色の成分に基づいて生成された第１の新プロファイル情報や、プロファイル情報が入力色情報に添付されていない場合に、予め設定され、第１の入力色情報変換部１２から選択される第１の設定プロファイル情報を記憶する。尚、設定プロファイル情報は、色変換の精度を低減させないような色変換用のパラメータ値等によって構成される。
【００１９】
第２の入力色情報変換部１４は、本発明の第２の変換手段の一例であって、第２の入力色情報を、後述する第２の新プロファイル情報により変換する。尚、第２の入力色情報変換部１４及び第１の新プロファイル情報記憶部１５等から多次元ルックアップテーブルが構成される。また、入力色情報に添付されるプロファイル情報からの第２の新プロファイル情報の生成は、既知の手段によって実現可能である。変換された各入力色情報（図１において、それぞれＣ２、Ｍ２、Ｙ２、Ｋ２と示す。）は、入力色情報合成部１６へ送信される。
【００２０】
第２のプロファイル情報記憶部１５は、本発明の第２の記憶手段の一例であって、プロファイル情報が有する第２の入力色情報を構成する色の成分に基づいて生成された第２の新プロファイル情報や、プロファイル情報が入力色情報に添付されていない場合に、予め設定され、第２の入力色情報変換部１４から選択される第２の設定プロファイル情報を記憶する。
【００２１】
入力色情報合成部１３は、本発明の合成手段の一例であって、第１の入力色情報と第２の入力色情報とをそれぞれを構成する色の成分に対応させて合成する。
例えば、第２の入力色情報のシアンの成分Ｃ２に対して、第１の入力色情報変換部１２で変換された第１の入力色情報のシアンの成分Ｃ１を合成し、第２の入力色情報のマゼンタの成分Ｍ２に対して、第１の入力色情報変換部１２で変換された入力色情報のマゼンタの成分Ｍ１を合成し、第２の入力色情報の黄の成分Ｙ２に対して、第１の入力色情報変換部１２で分割された入力色情報の黄の成分Ｙ１を合成し、第２の入力色情報の黒の成分Ｋ２に対して、第１の入力色情報変換部１２で分割された入力色情報の黒の成分Ｋ１を合成する。このように、分離された入力色情報を成分ごとに変換して、合成することで、色の精度が低減されないようにしている。
【００２２】
続いて、第１実施形態に係る画像処理装置の動作について図２を参照して説明する。
図２は第１実施形態に係る画像処理装置の処理の一例を示すフローチャートである。
画像処理装置は、まず、入力色情報をシアン、マゼンタ、黄、黒の成分と、赤、緑及び青の成分とに分離する（ステップＳ１）。画像処理装置は、次いで、入力色情報にプロファイル情報が添付されているか否かを判断する（ステップＳ２）。
【００２３】
画像処理装置は、ステップＳ２の処理においてプロファイル情報が添付されていると判断した場合に、当該プロファイル情報から第１の新プロファイル情報となるＲＧＢ（赤、青、緑）色変換用のプロファイル情報を生成し、記憶する（ステップＳ３）。画像処理装置は、次いで、添付されたプロファイル情報から第２の新プロファイル情報となるＣＭＹＫ（シアン、マゼンタ、黄、黒）色変換用のプロファイル情報を生成し、記憶する（ステップＳ４）。
【００２４】
画像処理装置は、次いで、これらの新プロファイル情報を利用して、第１の入力色情報及び第２の入力色情報を変換し（ステップＳ５）、変換された第１の入力色情報及び第２の入力色情報を、それぞれを構成する色の成分に対応させて合成する（ステップＳ６）。
【００２５】
一方で、画像処理装置がステップＳ２の処理においてプロファイル情報が添付されていなかったり、破損していたりすると判断した場合には、画像処理装置は、予め第１のプロファイル情報記憶部１３に設定プロファイル情報として記憶されるＲＧＢ色変換用プロファイル情報を選択し（ステップＳ７）、さらに、予め第２のプロファイル情報記憶部１５に設定プロファイル情報として記憶されるＣＭＹＫ色変換用プロファイル情報を選択する（ステップＳ８）。そして、選択されたこれらの設定プロファイル情報を利用して、後続のステップＳ６及びステップＳ７の処理を行う。
【００２６】
このように、５色以上の色の成分で構成される入力色情報を例えば赤、緑、青で構成される第１の入力色情報と、シアン、マゼンタ、黄色、黒で構成される第２の入力色情報とに分離し、添付されるプロファイル情報に基づいてそれぞれを変換し、それぞれ変換された入力色情報の各成分同士を対応させて合成することで、色の精度の低減が抑制される。
【００２７】
また、上述したように、例えば７色を４色と３色に分離して、入力色情報の成分を減らして変換処理を行っているため、入力色情報変換部の１つ当たりの処理負荷が従来と比較して低減されると共に、例えば７色×７色から４色×４色及び３色×４色のように、変換処理に必要なルックアップテーブルの容量も減らすことが可能となる。さらに、プロファイル情報が添付されていない場合であっても、色変換処理が可能となる。
【００２８】
（第２実施形態）
続いて、本発明の第２実施形態に係る画像処理装置について図面を参照して説明する。
図４は第２実施形態に係る画像処理装置の機能ブロック図である。尚、図１に示される画像処理装置の各部と同様の構成には同一符号を付し、その説明を省略する。
【００２９】
画像処理装置は、図３に示すように、入力色情報分離部１１、第１の入力色情報変換部１２、第１のプロファイル情報記憶部１３、第２の入力色情報変換部１４、第２のプロファイル情報記憶部１５、入力色情報合成部１６、入力色情報補正部１７、階調補正条件記憶部１８等から構成される。
【００３０】
入力色情報補正部１７は、本発明の補正手段の一例であって、第３の入力情報の成分を階調補正条件記憶部１８に記憶される階調補正条件に基づいて補正する。すなわち、入力色情報分離部１１によって分離された、黒の成分で構成される第３の入力色情報を階調補正条件に基づいて補正する。尚、入力色情報補正部１７及び階調補正条件記憶部１８等からルックアップテーブルが構成される。また、階調補正処理は、トーンカーブによる階調補正やガンマ補正等によって実現できる。補正された第３の入力色情報は、入力色情報合成部１６へ送信される。尚、階調補正処理後の第３の入力色情報を図３においてＫ１´と示す。
【００３１】
続いて、第２実施形態に係る画像処理装置の動作について図４を参照して説明する。
図４は第２実施形態に係る画像処理装置の処理の一例を示すフローチャートである。
画像処理装置は、まず、入力色情報を第１の入力色情報となる赤、緑及び青の成分と、第２の入力色情報となるシアン、マゼンタ及び黄の成分と、第３の入力色情報となる黒の成分とに分離する（ステップＳ１１）。画像処理装置は、次いで、入力色情報にプロファイル情報が添付されているか否かを判断する（ステップＳ１２）。
【００３２】
画像処理装置は、ステップＳ１２の処理においてプロファイル情報が添付されていると判断した場合に、当該プロファイル情報から第１の新プロファイル情報となるＲＧＢ（赤、青、緑）色変換用の第１の新プロファイル情報を生成し、記憶する（ステップＳ１３）。画像処理装置は、次いで、添付されたプロファイル情報から第２の新プロファイル情報となるＣＭＹＫ（シアン、マゼンタ、黄、黒）色変換用の第２の新プロファイル情報を生成し、記憶する（ステップＳ１４）。さらに、分離されたＫ（黒）色の成分で構成される入力色情報（第３の入力色情報）に階調補正を行う（ステップＳ１５）。
【００３３】
画像処理装置は、次いで、色変換処理を行う（ステップＳ１６）。すなわち、入力色情報にプロファイル情報が添付されている場合には、第１の入力色情報を第１の新プロファイル情報に基づいて変換し、第２の入力色情報を第２の新プロファイル情報に基づいて変換する。さらに、変換処理された第１の入力色情報及び第２の入力色情報、補正された第３の入力色情報を各色の成分に対応させて合成する（ステップＳ１７）。
【００３４】
一方で、画像処理装置がステップＳ１２の処理においてプロファイル情報が添付されていなかったり、破損していたりすると判断した場合には、画像処理装置は、赤、青及び緑の成分から構成される第１の設定プロファイル情報を選択し（ステップＳ１８）、さらに、シアン、マゼンタ、黄、黒の成分から構成される第２の設定プロファイル情報を選択する（ステップＳ１９）。そして、これらの設定プロファイル情報を使用して、色変換処理等、後続の処理を行う。このように、入力色情報の黒の成分に対して単独で階調補正情報処理を行った後、変換後の入力色情報に合成することで、色変換処理の精度を低減されることを抑制する。
【００３５】
尚、本発明は、上述した第１実施形態及び第２実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。また、入力色情報を５色以上としたが、２色以上であっても実施することが可能である。また、入力色情報の分離を、ＲＧＢ成分とＣＭＹＫ成分、または、ＲＧＢ成分、ＣＭＹ成分及びＫ成分の２種類を説明したが、入力色情報の分離はこれらの分離形態に限られない。
【産業上の利用可能性】
【００３６】
以上説明したように、本発明によれば、入力色情報の色の変換精度を低減させずに、多次元ルックアップテーブルの容量及び画像処理の負荷を低減させることができ、産業上の利用可能性が高い。
【図面の簡単な説明】
【００３７】
【図１】第１実施形態に係る画像処理装置の要部構成を示す機能ブロック図である。
【図２】第１実施形態に係る画像処理装置の処理の一例を示すフローチャートである。
【図３】第２実施形態に係る画像処理装置の要部構成を示す機能ブロック図である。
【図４】第２実施形態に係る画像処理装置の処理の一例を示すフローチャートである。
【符号の説明】
【００３８】
１１  入力色情報分離部
１２  第１の入力色情報変換部
１３  第１のプロファイル情報記憶部
１４  第２の入力色情報変換部
１５  第２のプロファイル情報記憶部
１６  入力色情報合成部
１７  入力色情報補正部
１８  階調補正条件記憶部
【図１】
2008177827.tif 000003
【図２】
2008177827.tif 000004
【図３】
2008177827.tif 000005
【図４】
2008177827.tif 000006